(57)【要約】【課題】本発明は、粒状ろ層の洗浄効率を高めつつ、逆洗浄装置の構造を単純化することができる粒状ろ層の逆洗浄方法を提供することを目的とする。【解決手段】粒状ろ層の逆洗浄方法は、被ろ過液Ｗ１をろ過する粒状ろ層４４に、当該被ろ過液Ｗ１とは逆方向に洗浄液Ｌを流して粒状ろ層４４を逆洗浄する粒状ろ層４４の逆洗浄方法であって、洗浄液Ｌは、被ろ過液Ｗ１よりも高粘度とされる。【選択図】図３
2018034097.tif 000002
【特許請求の範囲】
【請求項１】
被ろ過液をろ過する粒状ろ層に、該被ろ過液とは逆方向に洗浄液を流して前記粒状ろ層を逆洗浄する粒状ろ層の逆洗浄方法であって、
前記洗浄液は、前記被ろ過液よりも高粘度とされる、
粒状ろ層の逆洗浄方法。
【請求項２】
前記被ろ過液は、前記粒状ろ層の上方から下方へ流し、
前記洗浄液は、前記粒状ろ層の下方から上方へ流す、
請求項１に記載の粒状ろ層の逆洗浄方法。
【請求項３】
前記被ろ過液よりも高温の高温洗浄液を前記粒状ろ層に前記逆方向に流した後、前記粒状ろ層に前記洗浄液を流す、
請求項１又は請求項２に記載の粒状ろ層の逆洗浄方法。
【発明の詳細な説明】
【技術分野】
【０００１】
本発明は、粒状ろ層の逆洗浄方法に関する。
【背景技術】
【０００２】
ろ過装置の粒状ろ層の洗浄方法として、粒状ろ層に対し、ろ過時とは逆方向に洗浄水及び洗浄空気を流す併流逆洗が知られている（例えば、特許文献１参照）。
【０００３】
なお、膜ろ過装置の膜ろ層の洗浄方法としては、圧縮空気等で加圧した洗浄水を、ろ過時とは逆方向に膜ろ層に流す空気加圧方式の逆洗浄方法が知られている（例えば、特許文献２参照）。
【先行技術文献】
【特許文献】
【０００４】
【特許文献１】特開２００２−１１９８０７号公報
【特許文献２】特開２００９−２２６３４５号公報
【発明の概要】
【発明が解決しようとする課題】
【０００５】
特許文献１に開示された技術では、粒状ろ層に洗浄水及び洗浄空気を流すことにより粒状ろ層の洗浄効率を高めることができるものの、洗浄空気を生成するブロアが必要になるため、逆洗浄装置の構造が複雑化する可能性がある。
【０００６】
本発明は、上記の事実を考慮し、粒状ろ層の洗浄効率を高めつつ、逆洗浄装置の構造を単純化することができる粒状ろ層の逆洗浄方法を提供することを目的とする。
【課題を解決するための手段】
【０００７】
請求項１に記載の粒状ろ層の逆洗浄方法は、被ろ過液をろ過する粒状ろ層に、該被ろ過液とは逆方向に洗浄液を流して前記粒状ろ層を逆洗浄する粒状ろ層の逆洗浄方法であって、前記洗浄液は、前記被ろ過液よりも高粘度とされる。
【０００８】
請求項１に係る粒状ろ層の逆洗浄方法によれば、被ろ過液よりも高粘度の洗浄液を粒状ろ層に流すことにより、粒状ろ層を逆洗浄する。これにより、洗浄液の粘度が被ろ過液の粘度以下の場合と比較して、粒状ろ層を構成する粒状ろ材が拡散し易くなる。この結果、被ろ過液のろ過時に、粒状ろ層を構成する粒状ろ材に付着した汚濁物質が、当該粒状ろ材から剥がれ易くなる。したがって、粒状ろ層の洗浄効率が向上する。
【０００９】
また、本発明では、従来技術（例えば、特許文献１）のようなブロアを省略することができる。したがって、逆洗浄装置の構造を単純化することができる。
【００１０】
請求項２に記載の粒状ろ層の逆洗浄方法は、請求項１に記載の粒状ろ層の逆洗浄方法において、前記被ろ過液は、前記粒状ろ層の上方から下方へ流し、前記洗浄液は、前記粒状ろ層の下方から上方へ流す。
【００１１】
請求項２に係る粒状ろ層の逆洗浄方法によれば、被ろ過液は、粒状ろ層の上方から下方へ流す。これにより、被ろ過液が粒状ろ層でろ過され、被ろ過液中の汚濁物質が粒状ろ層に堆積される。
【００１２】
一方、洗浄液は、粒状ろ層の下方から上方へ流す。この際、粒状ろ層には、被ろ過液よりも高粘度の洗浄液を流す。これにより、洗浄液の粘度が被ろ過液の粘度以下の場合と比較して、粒状ろ材が巻き上がり易くなる。この結果、被ろ過液のろ過時に、粒状ろ層を構成する粒状ろ材に付着した汚濁物質が、当該粒状ろ材からさらに剥がれ易くなる。したがって、粒状ろ層の洗浄効率がさらに向上する。
【００１３】
請求項３に記載の粒状ろ層の逆洗浄方法は、請求項１又は請求項２に記載の粒状ろ層の逆洗浄方法において、前記被ろ過液よりも高温の高温洗浄液を前記粒状ろ層に前記逆方向に流した後、前記粒状ろ層に前記洗浄液を流す。
【００１４】
請求項３に係る粒状ろ層の逆洗浄方法によれば、先ず、被ろ過液よりも高温の高温洗浄液を、被ろ過液とは逆方向に粒状ろ層に流す。これにより、バイオフィルムを形成する微生物等が分解（死滅）し易くなるため、粒状ろ材からバイオフィルム等が剥がれ易くなる。
【００１５】
その後、被ろ過液よりも高粘度の洗浄液を粒状ろ層に流すことにより、当該粒状ろ層を逆洗浄する。これにより、粒状ろ層の洗浄効率がさらに向上する。
【発明の効果】
【００１６】
以上説明したように、本発明に係る粒状ろ層の逆洗浄方法によれば、粒状ろ層の洗浄効率を高めつつ、逆洗浄装置の構造を単純化することができる。
【図面の簡単な説明】
【００１７】
【図１】一実施形態に係る地下土壌浄化システムが適用された地盤を示す縦断面図である。
【図２】図１に示される水処理装置を示す模式図である。
【図３】図２に示される粒状ろ過器を示す縦断面図である。
【図４】水の温度と粘度との相関関係を示すグラフである。
【発明を実施するための形態】
【００１８】
以下、図面を参照しながら、一実施形態に係る粒状ろ層の逆洗浄方法について説明する。
【００１９】
（地下土壌浄化システム）
先ず、本実施形態に係る地下土壌浄化システム１０について説明する。
【００２０】
図１には、本実施形態に係る地下土壌浄化システム１０が適用された地盤１２の一例が示されている。地盤１２は、難透水層１２Ａと、難透水層１２Ａの上に堆積された帯水層１２Ｂとを有している。なお、図１に示される符号Ｓは、帯水層１２Ｂの地下水位を示している。また、図１に示される矢印Ｖは、地下水の流れを示している。
【００２１】
帯水層１２Ｂは、難透水層１２Ａよりも通水性が高く、地下水が流動し易くなっている。この帯水層１２Ｂは、ＶＯＣ（揮発性有機化合物）等の汚染物質を含む汚染土壌１２Ｂ１を有している。
【００２２】
汚染物質としては、例えば、有機化合物（塗料、印刷インキ、接着剤、洗浄剤、ガソリン、シンナーなどに含まれるトルエン、キシレンや、テトラクロロエチレン、トリクロロエチレン、シス−１，２−ジクロロエチレン、クロロエチレン（塩化ビニルモノマー）などの揮発性有機化合物）、重金属化合物、無機化合物、油類等が挙げられる。
【００２３】
なお、本実施形態に係る地下土壌浄化システム１０は、上記の地盤１２に限らず、例えば、難透水層１２Ａが存在しない地盤１２等の種々の地盤にも適用可能である。
【００２４】
地下土壌浄化システム１０は、遮水壁１４、注入槽１６、注入井戸２０、揚水井戸２２、及び水処理装置２６を備えている。この地下土壌浄化システム１０には、バイオレメディエーションが採用されている。
【００２５】
ここで用いるバイオレメディエーションは、例えば、水素徐放剤や酵母抽出物質等の活性剤（栄養剤）が添加された注入液を注入井戸２０から汚染土壌１２Ｂ１に注入し、汚染土壌１２Ｂ１中の汚染物質を分解する微生物（以下、「分解微生物」という）を増殖、活性化させて分解微生物による汚染物質の浄化を促進させるバイオスティミュレ―ションという方法である。
【００２６】
また、地下土壌浄化システム１０では、帯水層１２Ｂ中の地下水（常温地下水）よりも高温に加温された注入液を帯水層１２Ｂに注入する。これにより、汚染土壌１２Ｂ１に存在する分解微生物が増殖、活性化されるとともに、汚染土壌１２Ｂ１から汚染物質が剥離し易くなる。したがって、汚染土壌１２Ｂ１の浄化効率が向上する。なお、注入液の温度は、土壌中の分解微生物が増殖、活性化し易い温度（例えば、注入液の温度は２５℃〜６０℃）に適宜設定される。
【００２７】
さらに、地下土壌浄化システム１０では、汚染土壌１２Ｂ１を通過した地下水が揚水井戸２２から揚水され、水処理装置２６によって水処理される。また、水処理された地下水は、注入槽１６において前述した活性剤が添加されるとともに、所定温度に加温された後、注入井戸２０から汚染土壌１２Ｂ１に再び注入される。
【００２８】
このように本実施形態に係る地下土壌浄化システム１０では、汚染土壌１２Ｂ１と水処理装置２６との間で地下水を循環させながら、汚染土壌１２Ｂ１を浄化する。以下、地下土壌浄化システム１０の各構成要素の構成について説明する。
【００２９】
（遮水壁）
遮水壁１４は、コンクリートや地盤改良等によって、帯水層１２Ｂに形成されている。また、遮水壁１４は、汚染土壌１２Ｂ１を囲むように平面視にて枠状に形成されている。この遮水壁１４は帯水層１２Ｂを貫通し、その下端部が難透水層１２Ａに根入れされている。これにより、汚染土壌１２Ｂ１で汚染された地下水等の拡散が防止されている。なお、遮水壁１４は、必要に応じて設ければ良く、適宜省略可能である。
【００３０】
（注入槽）
注入槽１６には、配管５０を介して後述する水処理装置２６が接続されており、水処理装置２６によって水処理された地下水が供給される。この注入槽１６において、前述した活性剤等が地下水に添加される。また、注入槽１６には、図示しないヒータ等の加温器が設けられている。この加温器によって、地下水が所定温度に加温される。
【００３１】
また、注入槽１６には、配管１８を介して注入井戸２０が接続されている。この配管１８には、図示しない注入ポンプが設けられている。この注入ポンプが作動されることにより、注入槽１６に貯留された地下水が、配管１８を介して注入井戸２０に供給される。
【００３２】
（注入井戸及び揚水井戸）
注入井戸２０は、遮水壁１４による区画領域の一端側に配置されており、揚水井戸２２は、遮水壁１４による区画領域の他端側に配置されている。各注入井戸２０及び揚水井戸２２は、地盤１２を掘削することにより形成されている。また、各注入井戸２０及び揚水井戸２２は、地盤１２の帯水層１２Ｂを貫通し、難透水層１２Ａに達している。そして、注入槽１６から注入井戸２０に供給された注入液は、矢印Ｖで示されるように、汚染土壌１２Ｂ１を通過し、揚水井戸２２から揚水される。
【００３３】
なお、注入井戸２０及び揚水井戸２２の数や配置は、浄化対象となる汚染土壌１２Ｂ１の範囲に応じて適宜変更可能である。
【００３４】
（水処理装置、ろ過装置）
図２に示されるように、水処理装置２６は、ろ過装置３０及び逆洗浄装置６０を備えている。ろ過装置３０は、揚水井戸２２（図１参照）から揚水された地下水に含まれる汚濁物質を除去し、地下水を浄化する装置である。このろ過装置３０は、被ろ過液槽３２と、ろ過用ポンプ３６と、粒状ろ過器４０と、ろ過液受槽４８とを有している。
【００３５】
被ろ過液槽３２には、配管２４を介して揚水井戸２２（図１参照）が接続されている。配管２４には、図示しない揚水ポンプが設けられている。この揚水ポンプが作動されることにより、帯水層１２Ｂの地下水が揚水井戸２２から配管２４を介して被ろ過液槽３２に汲み上げられる。この地下水は、被ろ過液槽３２に被ろ過液Ｗ１として貯留される。
【００３６】
また、被ろ過液槽３２には、被ろ過液供給配管３４を介して粒状ろ過器４０が接続されている。被ろ過液供給配管３４には、ろ過用ポンプ３６が設けられている。このろ過用ポンプ３６がろ過処理時に作動されることにより、被ろ過液槽３２に貯留された被ろ過液Ｗ１が、被ろ過液供給配管３４を介して粒状ろ過器４０に供給される。
【００３７】
粒状ろ過器４０は、ろ過タンク４２と、粒状ろ層４４とを備えている。ろ過タンク４２は、内部に被ろ過液（地下水）を貯留する容器とされている。このろ過タンク４２の内部には、粒状ろ層４４が設けられている。なお、被ろ過液供給配管３４は、粒状ろ層４４よりも上方でろ過タンク４２に接続されている。
【００３８】
図３に示されるように、粒状ろ層４４は、粒径が異なる２種類の粒状ろ材によって２層に構成されている。具体的には、粒状ろ層４４は、小粒径層４４Ｌと、小粒径層４４Ｌの上に積層される大粒径層４４Ｕとを有している。
【００３９】
小粒径層４４Ｌを構成する粒状ろ材は、大粒径層４４Ｕを構成する粒状ろ材よりも小径で、かつ、比重が大きくされている。この小粒径層４４Ｌは、例えば、セラミック珪砂等の粒状ろ材で構成され、大粒径層４４Ｕは、例えば、アンスラサイト等の粒状ろ材で構成される。
【００４０】
なお、粒状ろ層４４は、２層構造に限らず、３層以上の多層構造にしても良いし、単層構造にしても良い。また、粒状ろ層４４の構成する粒状ろ材としては、例えば、アンスラサイト、マンガン砂、珪砂、セラミック珪砂、ゼオライト、活性炭等が用いられる。
【００４１】
ここで、ろ過処理時に、ろ過用ポンプ３６（図２参照）が作動されると、被ろ過液供給配管３４からろ過タンク４２の上部に被ろ過液Ｗ１が供給される。この被ろ過液Ｗ１は、矢印ａで示されるように、粒状ろ層４４を上方から下方へ通過する。この際、被ろ過液Ｗ１に含まれる汚濁物質Ｐが粒状ろ層４４に付着、堆積され、被ろ過液Ｗ１から除去される。なお、汚濁物質Ｐとしては、例えば、バイオフィルム等の有機物、マンガン等のスケール、土壌粒子が挙げられる。
【００４２】
図２に示されるように、ろ過タンク４２の下部には、ろ過液排出配管４６を介してろ過液受槽４８が接続されている。ろ過液排出配管４６は、粒状ろ層４４よりも下方でろ過タンク４２に接続されている。これにより、粒状ろ層４４によってろ過されたろ過液Ｗ２が、ろ過液排出配管４６を介してろ過液受槽４８に供給される。なお、ろ過液排出配管４６には、当該ろ過液排出配管４６を開閉する図示しないバルブが設けられている。
【００４３】
ろ過液受槽４８には、配管５０を介して注入槽１６（図１参照）が接続されている。配管５０には、ポンプ５２が設けられている。このポンプ５２が作動されることにより、ろ過液受槽４８に貯留されたろ過液（処理液）Ｗ２が、配管５０を介して注入槽１６に供給される。
【００４４】
（逆洗浄装置）
逆洗浄装置６０は、粒状ろ過器４０の粒状ろ層４４に、被ろ過液Ｗ１とは逆方向に洗浄液Ｌを流すことにより、当該粒状ろ層４４を逆洗浄（逆洗処理）する装置である。この逆洗浄装置６０は、洗浄液槽６２と、逆洗用ポンプ６６と、洗浄液受槽７０とを有している。
【００４５】
洗浄液槽６２は、洗浄液供給配管６４を介してろ過タンク４２の下部に接続されている。この洗浄液槽６２には、粒状ろ層４４を逆洗浄するための洗浄液Ｌが貯留されている。洗浄液Ｌは、例えば、常温水（例えば、５℃〜２０℃）とされており、図示しない水道等の水源から洗浄液槽６２に供給される。
【００４６】
また、洗浄液供給配管６４には、逆洗用ポンプ６６が設けられている。この逆洗用ポンプ６６が逆洗処理時に作動されることにより、洗浄液槽６２に貯留された洗浄液Ｌが、洗浄液供給配管６４を介してろ過タンク４２の下部に供給される。
【００４７】
図３に示されるように、ろ過タンク４２の下部に供給された洗浄液Ｌは、矢印ｂで示されるように、被ろ過液Ｗ１とは逆方向に粒状ろ層４４を通過する。これにより、粒状ろ層４４に付着、堆積された汚濁物質Ｐが除去される。
【００４８】
なお、逆洗処理時には、ろ過用ポンプ３６（図２参照）が停止され、ろ過処理が中断される。また、ろ過処理時には、例えば、被ろ過液Ｗ１が粒状ろ層４４を線速度５〜１５ｍ／ｈｒで通過するように、ろ過タンク４２に被ろ過液Ｗ１が供給される。一方、逆洗処理時には、洗浄液Ｌが粒状ろ層４４を線速度５〜１５０ｍ／ｈｒで通過するように、ろ過タンク４２に洗浄液Ｌが供給される。
【００４９】
ここでいう線速度とは、単位時間当たりに粒状ろ層４４を通過する液体の速度を意味し、当該液体の流量を粒状ろ層の断面積で割ることで算出される（線速度＝流量／粒状ろ層の断面積）。なお、被ろ過液Ｗ１及び洗浄液Ｌの線速度は、適宜変更可能である。
【００５０】
ここで、本実施形態では、洗浄液Ｌを被ろ過液Ｗ１よりも低温にすることにより、洗浄液Ｌが被ろ過液Ｗ１よりも高粘度とされている。これにより、洗浄液Ｌが粒状ろ層４４を通過した際に、粒状ろ層４４（小粒径層４４Ｌ及び大粒径層４４Ｕ）を構成する粒状ろ材が巻き上がり易くなる。この結果、粒状ろ層４４を構成する粒状ろ材に付着した汚濁物質Ｐが剥がれ易くなる。したがって、粒状ろ層４４の逆洗浄効率が向上する。
【００５１】
また、洗浄液Ｌの粘度について補足すると、図４には、水の温度と粘度との関係を示すグラフが示されている。このグラフから分かるように、例えば、水の場合、温度が低くなるに従って粘度が高くなる。したがって、洗浄液Ｌを被ろ過液Ｗ１よりも低温にすることで、洗浄液Ｌが被ろ過液Ｗ１よりも高粘度にすることができる。
【００５２】
なお、本実施形態では、前述したように、汚染土壌１２Ｂ１中の分解微生物を増殖、活性化するために、加温された注入液を汚染土壌１２Ｂ１に注入する。そのため、揚水井戸２２から揚水された地下水の温度は、常温水よりも高温（例えば、２５℃〜６０℃）になっている。したがって、本実施形態では、洗浄液Ｌとして常温水（５℃〜２０℃）を用いることで、洗浄液Ｌを被ろ過液Ｗ１よりも高粘度にすることができる。
【００５３】
図２に示されるように、洗浄液受槽７０は、洗浄液排出配管６８を介してろ過タンク４２の上部に接続されている。洗浄液排出配管６８は、粒状ろ層４４よりも上方でろ過タンク４２に接続されている。この洗浄液受槽７０には、逆洗処理時に、粒状ろ層４４を下方から上方へ通過した洗浄液が、洗浄液排出配管６８を介して排出される。
【００５４】
なお、洗浄液受槽７０には、図示しない排出ポンプが設けられている。この排出ポンプが作動されることにより、洗浄液受槽７０に貯留された洗浄液Ｌは系外に排出される。また、この排出ポンプにより、例えば、被ろ過液槽３２等に供給することも可能である。また、洗浄液排出配管６８には、当該洗浄液排出配管６８を開閉する図示しないバルブが設けられている。
【００５５】
次に、本実施形態に係る粒状ろ層の逆洗浄方法の一例について説明するとともに、本実施形態に係る粒状ろ層の逆洗浄方法の効果について説明する。
【００５６】
図３に示されるように、粒状ろ過器４０の粒状ろ層４４には、ろ過処理に伴って地下水に含まれる汚濁物質Ｐが付着、蓄積される。そして、粒状ろ層４４に汚濁物質Ｐが付着、蓄積すると、粒状ろ層４４が目詰まりし、ろ過効率が低下する。そのため、本実施形態では、定期的に、以下の逆洗処理を実施する。
【００５７】
図２に示されるように、逆洗処理時には、ろ過用ポンプ３６を停止し、ろ過処理を一時的に中断する。また、ろ過液排出配管４６に設けられた図示しないバルブを閉じ、当該ろ過液排出配管４６を閉塞する。これにより、ろ過タンク４２からろ過液受槽４８に洗浄液が流出しないようにする。この状態では、ろ過タンク４２の下部に粒状ろ層４４でろ過されたろ過液が貯留され、ろ過タンク４２の上部に粒状ろ層４４でろ過される前の被ろ過液が貯留されている。
【００５８】
この状態で、洗浄液排出配管６８に設けられたバルブを開き、逆洗用ポンプ６６を作動する。これにより、洗浄液槽６２に貯留された洗浄液Ｌが洗浄液供給配管６４を介してろ過タンク４２の下部に供給され、ろ過タンク４２の貯留されたろ過液等と混合される。
【００５９】
次に、図３に示されるように、ろ過タンク４２に供給された洗浄液Ｌは、矢印ｂで示されるように、被ろ過液Ｗ１（矢印ａ）とは逆方向に、すなわち粒状ろ層４４を下方から上方へ通過する。この際、洗浄液Ｌによって、粒状ろ層４４に付着、堆積された汚濁物質Ｐが除去される。
【００６０】
また、ろ過タンク４２に洗浄液Ｌが供給されると、ろ過タンク４２内の水位が徐々に上昇する。そして、粒状ろ層４４を通過した洗浄液Ｌは、汚濁物質Ｐと共にろ過タンク４２の上部から洗浄液排出配管６８を介して洗浄液受槽７０（図２参照）に排出される。
【００６１】
ここで、洗浄液Ｌは、被ろ過液Ｗ１よりも高粘度とされている。これにより、洗浄液Ｌの粘度が被ろ過液Ｗ１の粘度以下の場合と比較して、洗浄液Ｌが粒状ろ層４４を下方から上方へ通過した際に、粒状ろ層４４を構成する粒状ろ材が巻き上がり易くなる。この結果、粒状ろ材に付着した汚濁物質Ｐが剥がれ易くなる。したがって、粒状ろ層４４の洗浄効率が向上する。
【００６２】
また、本実施形態では、従来技術（例えば、特許文献１）のようなブロアを省略することができる。したがって、水処理装置２６の構造を単純化することができる。
【００６３】
このように本実施形態では、粒状ろ層４４の洗浄効率を高めつつ、水処理装置２６の構造を単純化することができる。
【００６４】
また、本実施形態では、汚染土壌１２Ｂ１中の分解微生物を増殖、活性化するために、加温された注入液を汚染土壌１２Ｂ１に注入する。そのため、揚水井戸２２から揚水された地下水の温度は、常温水よりも高温（例えば、２５℃〜６０℃）になっている。したがって、本実施形態では、洗浄液Ｌに常温水（５℃〜２０℃）を用いることで、洗浄液Ｌを被ろ過液Ｗ１よりも容易に高粘度にすることができる。
【００６５】
また、本実施形態の粒状ろ層４４は、小粒径層４４Ｌと、小粒径層４４Ｌの上に積層された大粒径層４４Ｕとの２層構造とされている。大粒径層４４Ｕを構成する粒状ろ材の粒径は、小粒径層４４Ｌを構成する粒状ろ材の粒径よりも大きくされている。この大粒径層４４Ｕで、大きな汚濁物質Ｐをろ過することにより、小粒径層４４Ｌの目詰まりが抑制される。そのため、定期的に実施する逆洗処理の間隔を広げることができる。つまり、逆洗処理の頻度を少なくすることができる。したがって、逆洗処理に必要な洗浄液Ｌ等が低減されるため、コストを圧縮することができる。
【００６６】
また、小粒径層４４Ｌを構成する粒状ろ材は、大粒径層４４Ｕを構成する粒状ろ材よりも比重が大きくされている。これにより、逆洗処理時に、洗浄液Ｌによって小粒径層４４Ｌ及び大粒径層４４Ｕが巻き上げられて混合されたとしても、小粒径層４４Ｌを構成する粒状ろ材が、大粒径層４４Ｕを構成する粒状ろ材よりも先に沈殿し、大粒径層４４Ｕの下に小粒径層４４Ｌが形成される。したがって、逆洗処理後においても、小粒径層４４Ｌの目詰まりを抑制することができる。
【００６７】
次に、本実施形態の変形例について説明する。
【００６８】
逆洗処理時には、先ず、被ろ過液Ｗ１よりも高温の洗浄液（以下、「高温洗浄液」という）で粒状ろ層４４を逆洗浄し、次に、被ろ過液Ｗ１よりも高粘度の洗浄液Ｌで粒状ろ層４４を逆洗浄しても良い。
【００６９】
具体的には、先ず、被ろ過液Ｗ１よりも高温の高温洗浄液を、被ろ過液Ｗ１とは逆方向に粒状ろ層４４に流すことにより、当該粒状ろ層４４を逆洗浄する。これにより、汚濁物質Ｐを形成する微生物等が分解（死滅）し易くなるため、粒状ろ層４４を構成する粒状ろ材から汚濁物質Ｐが剥がれ易くなる。
【００７０】
その後、被ろ過液Ｗ１よりも高粘度の洗浄液Ｌを、被ろ過液Ｗ１とは逆方向に粒状ろ層４４に流すことにより、当該粒状ろ層４４を逆洗浄する。これにより、粒状ろ層４４の洗浄効率をさらに高めることができる。
【００７１】
なお、高温洗浄液は、ヒータ等の図示しない加熱器によって加熱される。この高温洗浄液は、被ろ過液よりも高温であれば良く、例えば、約４０℃以上に設定される。
【００７２】
次に、上記実施形態では、洗浄液Ｌとして、常温水（例えば、５℃〜２０℃）を用いたが、上記実施形態はこれに限らない。洗浄液としては、例えば、常温水を冷却器によって冷却した冷却液を用いても良い。また、洗浄液Ｌは、被ろ過液Ｗ１よりも高粘度であれば良く、すなわち洗浄液Ｌの温度は、被ろ過液Ｗ１の温度よりも低温であれば良く、例えば、５℃〜５０℃の範囲で適宜設定することができる。
【００７３】
また、上記実施形態では、洗浄液Ｌを被ろ過液Ｗ１よりも低温にすることにより、洗浄液Ｌを被ろ過液Ｗ１よりも高粘度にしたが、上記実施形態はこれに限らない。例えば、粘度を高める増粘剤を洗浄液に添加することにより、洗浄液を被ろ過液Ｗ１よりも高粘度にしても良い。
【００７４】
また、冷却液には、水に限らず、被ろ過液Ｗ１よりも高粘度の他の液体を用いても良い。
【００７５】
また、上記実施形態では、ろ過処理時に、被ろ過液Ｗ１を粒状ろ層４４の上方から下方へ流し、逆洗処理時に、洗浄液Ｌを粒状ろ層４４の下方から上方へ流したが、上記実施形態はこれに限らない。例えば、上記とは逆に、ろ過処理時に、被ろ過液Ｗ１を粒状ろ層４４の下方から上方へ流し、逆洗処理時に、洗浄液Ｌを粒状ろ層４４の上方から下方へ流しても良い。
【００７６】
また、上記実施形態では、汚染土壌１２Ｂ１に注入する注入液を加温したが、注入液は加温しなくても良い。また、上記実施形態では、バイオレメディエーションとして、バイオスティミュレーションを用いたが、これに限らない。例えば、外部で培養された微生物を活性剤等と共に帯水層１２Ｂ中に注入するバイオオーグメンテーションを用いても良い。
【００７７】
また、上記実施形態に係る逆洗浄方法は、汚染土壌１２Ｂ１から揚水した地下水をろ過する粒状ろ過器４０に限らず、種々の用途に用いられる粒状ろ過器に適用可能である。
【００７８】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００７９】
４４  粒状ろ層
Ｗ１  被ろ過液
Ｌ    洗浄液
【図１】
2018034097.tif 000003
【図２】
2018034097.tif 000004
【図３】
2018034097.tif 000005
【図４】
2018034097.tif 000006